(57)【特許請求の範囲】
【請求項１】
キャップおよびベースのうち少なくとも一方を含む注入セットための注入セット用連結装置であって、延長チューブが所望の方向に回転し得るように該キャップがベースの回りに回転可能となる構成とされる注入セット用連結装置において、
可撓性の連結部材を有するキャップと、
少なくとも一つの段付面を有する外周縁と、セプタムを固定する内周縁とを有する単一のポストを備えるベースと、を含み、該ポストは、前記キャップの前記可撓性の連結部材を整合させ受け止めるように構成される傾斜した上面を含み、前記キャップの前記可撓性の連結部材は、前記ポストの傾斜した上面に係合することにより、移動されるように構成される傾斜した下面を含み、
前記可撓性の連結部材が、前記キャップを、前記ポストの回りに所望の回転位置で前記ベースに解放可能に結合するように構成される注入セット用連結装置。
【請求項２】
前記キャップは、傾斜した面を周縁に有する下面に開口を含み、前記ベースのポストを整合させ受け入れるように構成される請求項１記載の装置。
【請求項３】
前記キャップの可撓性の連結部材は、該ポストの傾斜した上面から解放されるとき、該ポストの回り３６０度回転位置のうちのいずれかの位置で該ポストの段付け面に係合する請求項１記載の装置。
【請求項４】
前記ポストは、外周部に複数のリブを含む請求項１記載の装置。
【請求項５】
前記キャップの可撓性の連結部材は、前記ポストの外周部上の複数のリブに係合するように構成される内周部上の複数のリブを含む請求項４記載の装置。
【請求項６】
該キャップの可撓性の連結部材が前記ベースのポストを解放する少なくとも一つの位置と、
前記キャップの可撓性の連結部材が回転可能としながら前記ポストの段付き面に係合し前記ベースおよびキャップを一緒に固定する少なくとも一つの位置と、
前記キャップの可撓性の連結部材が前記ベースおよびキャップと一緒に固定するように前記ポストの段付け面に係合し、該可撓性の連結部材の複数のリブを回転に抵抗するように該ポストの複数のリブに係合する少なくとも一つの位置との間を撓むように、前記キャップの可撓性の連結部材は、構成される請求項５記載の装置。
【請求項７】
前記セットに呼び水するために注入セットの入口に隣接して少なくとも一つの開口を含む挿入針を含む請求項１記載の装置。
【請求項８】
セプタムと、該前記ベースに前記セプタムを固定するためにウェッジを固定するセプタムと、をさらに含む請求項１記載の装置。
【請求項９】
前記ベースは、前記ベースの下に、挿入部位を見るための少なくとも一つの窓を含む請求項１記載の装置。
【発明の詳細な説明】
【技術分野】
【０００１】
本発明は、注入セットに関する。より詳細には、本発明は、使用者が、異物をカテーテルアッセンブリーを介して身体に導入せず、延長チューブとともにキャップを外すことができるように自己シールセプタムをもたらす注入セットに関する。さらに、本発明は、注入セットに関し、液状の薬剤を注入ポンプ等から使用者に供給する延長チューブが使用者によりいつも便利に配置でき、変更できるようにキャップアッセンブリー部が、回転する。
【背景技術】
【０００２】
最も基礎段階では、液状の薬剤が外部供給源から患者の皮膚内に送出されるいずれの場合でも、中空の注射針、または、他の形式のカニューレまたはカテーテル装置がまず、通路即ち、流体が通過し得る管をもたらすために挿入されなければならない。この通路が設けられたならば、いずれかの適切な注入セット、またはシステムが、適切なチューブ、即ち、適当な送出速度で患者に液体を送出するための皮下の送出箇所に導く通路により、液体の外部の供給源に接続している導管と連結して使用され得る。
【０００３】
液状の薬剤を患者の皮膚内に送出するために使用可能とされるある種類の装置は、注入セットとして知られている。図１は、知られた注入セット２５０の構成部品を示す。注入セット２５０は、一般に、比較的短いカニューレ、または、流体注入システムの他の構成部品に適切に連結された送出用チューブ２５２を介して注入流体を受けるようにした小型のハウジング２６０に支持され突出したカテーテル２５６を含む。使用中、最適な患者の心地よさのために、カニューレ２５６は、高い柔らかさおよび柔軟性で構成されることが望ましい。また、注入セット２５０は、他の複数の装置のうち液体ポンプ２５１を含み得る。挿入針２５３は、通常、カニューレ２５６に形成される管腔を貫通するように設けられ、皮膚内へのカニューレ２５６の配置を容易にする。挿入針２５３は、引き抜かれ、患者への流体注入のために所定位置にカニューレ２５６をそのままにしておく。
【０００４】
ハウジング２６０自体は、キャップまたは流体コネクタ２５４、分離可能なベース２５５を含み得る。ベース２５５は、カニューレ挿入中、患者の皮膚に取り付けられ、キャップ２５４は、挿入針２５３が取り外された後、ベース２５５に取り付けられる。ベース２５５は、取付手段、一般に、数日、所定位置にハウジング２６０を維持するように皮膚に十分な粘着性をもたらすが、しかし、患者の皮膚を損傷させるようなあまり強くない粘着性をもたらす粘着性パッド２５７により、患者に取り付けられる。
【０００５】
また、ベース２５５は、自己シール接合部分をもたらすセプタム２５８を含み得る。この接合部分は、挿入針２５３が、上述したように、所定位置にカニューレ２５６をつけるために使用されるので必要である。挿入針２５３がセプタム２５８を貫通し、カニューレの配置のためにカニューレ２５６に入る。挿入針２５３が取り外され、キャップ２５４に取り換えられた後、液体が送出チューブ２５２を流れ、キャップ２５４を介してベース２５５の内部チャンバー２５９に入る。挿入針２５３がカニューレ２５６に挿入され、取り外された後、セプタム２５８は、チャンバー２５９を外部環境から密封する。液体は、チャンバー２５９に入り、それから、カニューレ２５６を通じて患者に入る。
【発明の概要】
【発明が解決しようとする課題】
【０００６】
残念ながら、従来技術の注入セットに多くの問題がある。例えば、従来技術の注入セット２５０は、カテーテル２５６が身体に挿入されたならば、組み立てることが難しい。いくつかの従来技術の注入セット２５０において、注入セット２５０におけるキャップ２５４およびベース２５５を位置合わせすることが難しい。従って、挿入部位を清浄した後、適切に作動するように注入セット２５０を組み立てることが難しい。しばしば、従来技術
の注入セット２５０は、単一の指向性であり、注入セット２５０が使用者の皮膚に挿入され取り付けられたならば、注入セット２５０のベース２５５に対する延長チューブ２５２の方向は、固定され、変更不可能であることを意味する。加えて、いくつかの従来技術の注入セットにおいて、セプタム２５８と流路との間を良好に確実に密封することが難しく、時々、この弱いシールのために流体が漏れる。さらに、多くの従来技術の注入セット２５０において、適切な位置合わせが得られた場合でさえ、注入セット２５０におけるキャップ２５４とベース２５５とを合わせることが難しい。
【０００７】
他の難事は、挿入部位の位置に関連し従来技術の注入セットにある。従来の注入セット２５０において、挿入部位は、ベース２５５の下にある。従って、挿入後、使用者により目視できない。しばしば、挿入部位のわずかな赤みにより一般に示される感染が起き、続いて、痛み、感染の他の可能性のある兆候がある。また、多くの従来技術の注入セットにおいて、位置合わせ、はめ合わせが達成されたならば、キャップ２５４は、注入セット２５０のベース２５５に対する取り外し、再び取り付けることが難しい。
【０００８】
従って、これらを解消し、また、従来技術の注入セットに関連した他の難事を解消する注入セットをもたらすことが望ましい。
【課題を解決するための手段】
【０００９】
従って、本発明の少なくとも第１実施例の目的は、従来技術に関連するこれらおよび他の問題点を実質的に解決し、そうするためにキャップをベースに連結する場合、いずれかの回転調整を要求されない少なくとも注入セットを提供することである。本発明の例示の実施例において、注入セットのキャップは、その二つが一緒に取付けられた場合ベースの回りに自在に回転するように構成されている。延長チューブは、いずれかの所望の方向に対し回転可能とされる。さらに、本発明の第１の例示の実施例に従う注入セットは、ベースのポストおよび連結するキャップの保持部材双方にリブをもたらすことができ、使用者がキャップをいずれかの所望角度位置で固定でき、または、初期位置から新たな位置に変更できる。その際に、本発明の例示の実施例は、いずれかの位置で容易に組み立て可能であり、低背化した、容易にクリーニングできる装置をもたらすとともに、しかも、所望の回転規制ももたらす。
【００１０】
本発明の少なくとも第１実施例のさらなる目的は、少なくとも注入セットを提供することである。
【００１１】
本発明の少なくとも第１実施例のさらなる目的は、連結を完了するようにいずれかのボタンまたはレバーを操作する必要がなく、使用者が、身体に対し垂直に、まっすぐな動きにより、キャップをベースに連結することができる少なくとも注入セットを提供することを目的とする。さらに、本発明の例示の第１実施例に従う注入セットは、キャップおよびベースを自動的に一緒に固定することができる保持手段をもたらす。これは、横方向またはねじりの力によりカテーテルを外す機会を実質的に排除し、実質的に使用者にとって接続方法を簡略する。さらに、本発明の第１の例示の実施例に従う注入セットは、ベースのポスト、対応する保持手段、ポストの導入部、および／または、使用者により注入セットのキャップ、ベース相互間の容易く位置合わせ可能であるキャップをもたらす。
【００１２】
本発明の少なくとも第１実施例の他の目的は、ポストおよび保持手段に傾斜した導入部を有する少なくとも注入セットを提供することである。使用者は、実質的にキャップおよびベースを誤って調整してもよく、しかも、最終連結に関し二つの自己整合式なので実質的に容易に二つを連結できる。さらに、キャップおよびベースが固有の対称なので特定の方向は、キャップとベースとを調整する場合、必要とされない。
【００１３】
従って、本発明の少なくとも第１実施例の他の目的は、キャップおよびベースを一緒に案内する大きい導入部を有するベースおよびキャップ上に同心円を有する少なくとも注入セットを提供することを目的とする。
【００１４】
本発明の少なくとも第２実施例の目的は、実質的に汚染および感染の可能性を排除するセプタムの上部からセプタムを介してブラントカニューレが導入可能な注入セットを提供することを目的とする。
【００１５】
本発明の少なくとも第２実施例の他の目的は、流体キャップをベースに連結するための回転式インターロック手段を有する少なくとも注入セットを提供することである。本発明の少なくとも例示の第２実施例のさらなる目的は、流体キャップをベースに固定し、続いて、流体キャップをベースから解放するためのラッチインターロック手段を有する少なくとも注入セットを提供することである。
【００１６】
本発明の少なくとも第２実施例の目的は、接続を完了するためにボタンまたはレバーを操作する必要なく、使用者が身体に対し垂直に、真っ直ぐな動きで、キャップをベースに連結することができる注入セットを提供することを目的とする。さらに本発明の例示の第２実施例の目的は、保持手段を有する注入セットを提供することを目的とする。自動的にキャップをベースに固定し、それにより、横向きまたはねじり力によりカテーテルを外すいかなる機会を実質的に排除する。これは、使用者にとって接続方法を簡略する。
【００１７】
本発明の少なくとも第３実施例の目的は、使用者に注射針挿入部位を目視できる機能をもたらすように注入セットに使用される窓構成を提供することである。そのような窓構成は、注入セットの使用者に、使用者が最初の兆候で初期の感染または炎症に対し処理できることにより、注入セットの挿入部位をより清浄に、より無菌に保つ機会を付与する。
【００１８】
本発明の第３実施例のさらなる目的は、使用者が感染または炎症に関し挿入部位を監視できる注入セットを提供することである。従って、本発明の例示の第３実施例の目的は、透明なフラットレンズ、または透明な拡大レンズの双方または一方を含むレンズ装置を提供することである。さらに、これらのレンズは、限定されないが、プラスチック、ガラス、他の物質の中から適切な物質で作られてもよい。
【００１９】
本発明の少なくとも第４実施例の目的は、本発明の実施例に従う注入セットに使用するためのセプタム保持装置を提供することである。セプタム保持装置においては、セプタムが外れないように自在ではなく、ブラントカニューレの数多くの挿入後でさえ、所定位置に実質的に固定されたままである。本発明の例示の第４実施例のさらなる目的は、第２の部分が所定位置にセプタムを保持するために必要とされない注入セットを提供することを目的とする。従って、部品在庫を減らし、製造コストを低減する。各実施例において、例示のセプタムは、装置に位置決めする以前（即ち、挿入または再挿入）に容易に消毒可能とされ、その後、ブラントカニューレの挿入または再挿入以前に清浄化され、感染の危険をさらに低減する。
【００２０】
本発明の少なくとも第５乃至第１１実施例の目的は、注入セットに使用されるキャップ保持手段を有する少なくとも注入セットを提供することである。本発明の第５乃至第１１実施例に従う注入セットにより、従来の注入セットよりもベースおよびキャップ相互間の接続を容易にできる。
【００２１】
本発明の少なくとも第５乃至第１１実施例の目的は、注入セットに使用されるキャップ保持手段を提供し、斯かるキャップ保持手段において、キャップをベースに連結する場合、回転的な位置合わせが必要とされない。
【００２２】
本発明の少なくとも第５乃至第１１実施例の目的は、注入セットに使用されるキャップ保持手段を提供し、斯かるキャップ保持手段において、延長チューブがいずれかの所望の方向に対し回転可能とされるように、キャップが、自在に取付けられたとき、回転できる。
【００２３】
本発明の少なくとも第５実施例の目的は、柔軟なキャップを含むキャップ保持手段を有する少なくとも注入セットを提供し、斯かる注入セットにおいて、使用者が二つの側面を一緒に圧縮し、二つの他の側面に、外方に弓形となるようにさせ、注入セットのいずれかの所望の方向でベース上にキャップを配置できる。
【００２４】
本発明の少なくとも第６実施例の目的は、柔軟なキャップを含むキャップ保持手段を有する少なくとも注入セットを提供し、斯かる注入セットにおいて、使用者が、三辺を有するフレキシブルキャップホルダーにより形成された開口内に向けてウェッジを圧縮し、ウェッジを配置した後、二つの他の側面は、外方に弓形となり、注入セットのいずれかの所望の方向でベース上にキャップを配置できる。
【００２５】
本発明の少なくとも第７実施例の目的は、柔軟なキャップを含むキャップ保持手段を有する少なくとも注入セットを提供し、斯かる注入セットにおいて、使用者は、少なくとも１つ以上のレバーを一緒に圧縮し、柔軟なキャップにベース壁から離隔するように円形の保持手段を曲げさせ、それにより、ベースから柔軟なキャップを解放する。
【００２６】
本発明の少なくとも第７実施例のさらなる目的は、柔軟なキャップを提供し、キャップ
において、また、使用者は、少なくとも一つ以上のレバーを一緒に圧縮し、柔軟なキャッ
プに円形の保持手段を外方に曲げるようにさせ、レバーを解放するとき、円形の保持手段
がベース壁にかみ合うように、ベース上にキャップを配置できる。
【００２７】
本発明の少なくとも第８実施例の目的は、リジッドフープを含むキャップ保持手段を有する少なくとも注入セットを提供し、斯かる注入セットにおいて、使用者がスプリングにに対しリジッドフープの一方側を圧縮し、注入セットのベース上のポストに形成されるアンダーカットの下方から、キャップの第１の端部に配される第２のリジッドフープの伸長／保持部材を移動させることにより、ベースからキャップを解放する。それから、使用者は、キャップの第１の端部を持ち上げ、それから、第１の端部から末端方向に離隔したキャップの第２の端部を持ち上げ、キャップをベースから解放できる。
【００２８】
本発明の少なくとも第９実施例の目的は、キャップを含むキャップ保持手段を有する少なくとも注入セットを提供し、斯かる注入セットにおいて、使用者が、ピボットの回りにばね押しされる少なくとも一つ以上のレバーを圧縮し、ベース上のポストに形成されるアンダーカット下方にレバーアームを固定することにより、キャップをベースに保持するか、あるいは、解放する。
【００２９】
本発明の少なくとも第１０実施例の目的は、キャップを含むキャップ保持手段を有する少なくとも注入セットを提供し、斯かる注入セットにおいて、注入セットのベースにあるキャップ保持壁のアンダーカットにかみ合うスプリング保持手段を、使用者が圧縮し、キャップをベースに保持するか、あるいは、それを解放する。
【００３０】
本発明の少なくとも第１１実施例の目的は、キャップを含むキャップ保持手段を有する少なくとも注入セットを提供し、斯かる注入セットにおいて、注入セットのベースにあるキャップ保持壁のアンダーカットにかみ合うスプリング保持レバーを、使用者が移動し、キャップをベースに保持するか、あるいは、それを解放する。
本発明の様々な目的、利点、および新規な特徴は、添付図面と一緒に読んだ場合、以下の好ましい実施例の詳細な説明を参照することにより最もよく理解されるはずである。
【図面の簡単な説明】
【００３１】
【図１】従来技術による従来型の注入セットを示す。
【図２Ａ】本発明の第１実施例に従う注入前の状態のニードルハブアッセンブリーを有する注入セットの等角投影図である。
【図２Ｂ】図２Ａに示される注入セットの断面図である。
【図２Ｃ】図２Ａに示されるニードルハブアッセンブリーの側面図である。
【図２Ｄ】注入後の状態の流体送出ポンプアッセンブリーを有する図２Ａに示される注入セットの側面図である。
【図２Ｅ】図２Ａに示される注入セットの上面図である。
【図３Ａ】本発明の実施例に従う図２Ａに示される注入セットとともに使用するための一例となるチュービングセットコネクタアッセンブリーの側面図である。
【図３Ｂ】本発明の実施例に従うラッチ機構が開放した状態における図３Ａに示されるチュービングセットコネクタの下面図である。
【図３Ｃ】本発明の実施例に従うラッチ機構が閉じた状態における図３Ａに示されるチュービングセットコネクタの下面図である。
【図３Ｄ】本発明の実施例に従うラッチ機構が開放した状態における図３Ａに示されるチュービングセットコネクタの等角投影図である。
【図３Ｅ】本発明の実施例に従うラッチ機構が閉じた状態における図３Ａに示されるチュービングセットコネクタの等角投影図である。
【図４Ａ】本発明の実施例に従う図２Ａに示される注入セットとともに使用するためのカテーテルおよび接続用ポートの断面図である。
【図４Ｂ】本発明の実施例に従う図４Ａに示されるカテーテルおよび接続用ポートの上部等角投影図である。
【図５Ａ】図２Ｅにおける５Ａ−５Ａ線に沿って示されるような注入セットの断面図である。
【図５Ｂ】図２Ｅにおける５Ｂ−５Ｂ線に沿って示されるような注入セットの断面図である。
【図５Ｃ】図２Ｅにおける５Ａ−５Ａ線に沿って示されるような注入セットの等角投影の断面図である。
【図６Ａ】本発明の実施例に従う図２Ａに示される注入セットとともに使用するための一例としてのスリットセプタムの上部等角投影図である。
【図６Ｂ】本発明の実施例に従う注射針挿入の前後における図６Ａに示されるスリットセプタムの上面図である。
【図６Ｃ】本発明の実施例に従う注射針挿入の前後における図６Ａに示されるスリットセプタムの上面図である。
【図７Ａ】本発明の実施例に従う図２Ａに示される注入セットにおけるキャップおよびベースを位置合わせする手段の一例の拡大側面図である。
【図７Ｂ】本発明の実施例に従う図２Ａに示される注入セットにおけるキャップおよびベースの保持手段の一例の拡大側面図である。
【図８Ａ】本発明の実施例に従う図２Ａに示される注入セットに使用される回転止めの構成の一例の動作を示す拡大上面図である。
【図８Ｂ】図８Ａにおける８Ｂ−８Ｂ線に沿って示されるような注入セットに使用される回転止めの構成の拡大断面図である。
【図９】本発明の実施例に従う図２Ａに示される注入セットとともに使用するための代替的なニードルハブアッセンブリーにおける注入セットへの注入直後の拡大断面図である。
【図１０Ａ】本発明の第２実施例に従う代替的なニードルハブアッセンブリーを有する注入セットの一例を注入状態以前で示す上部等角投影図である。
【図１０Ｂ】図１０Ａに示される注入セットの断面図である。
【図１１Ａ】本発明の他の例としての実施例に従う図１０Ａに示される注入セットにおけるチュービングセットコネクタの上面図である。
【図１１Ｂ】本発明の他の例としての実施例に従う図１０Ａに示される注入セットにおけるチュービングセットコネクタの側面図である。
【図１２Ａ】本発明の実施例に従う図１０Ａに示される注入セットとともに使用するためのカテーテルおよび接続ポートアッセンブリーの上面図である。
【図１２Ｂ】本発明の実施例に従う図１０Ａに示される注入セットとともに使用するためのカテーテルおよび接続ポートアッセンブリーの側面図である。
【図１３】本発明の他の実施例に従う図１０Ａに示される注入セットとは違ったチュービングセットコネクタにおける異なる位置に取り付けられる延長チューブを有する図１０Ａに示される注入セットの断面図である。
【図１４】本発明の実施例に従う図１０Ａに示される注入セットの接続ポートアッセンブリーおよびカテーテルに挿入されたニードルハブアッセンブリーの上部等角投影図である。
【図１５】本発明の第３実施例による注入セットにおけるカテーテルと皮膚部位とを示す注入セットの一例とともに使用するためのレンズ装置の一例の拡大断面図である。
【図１６】本発明の第４実施例によるセプタム保持装置の一例を示す等角投影の断面図である。
【図１７】本発明の第４実施例によるセプタム保持装置の他の一例の拡大断面図である。
【図１８】本発明の第４実施例によるセプタム保持装置のさらなる他の一例の拡大断面図である。
【図１９Ａ】本発明の第５実施例による注入セットの一例における接続ポートアッセンブリーにチューブセットを連結するためのラッチ機構の一例の下面図である。
【図１９Ｂ】本発明の第５実施例による注入セットの一例における接続ポートアッセンブリーにチューブセットを連結するためのラッチ機構の一例の上面図である。
【図２０Ａ】本発明の実施例に従う図１９Ａおよび１９Ｂに示される接続ポートアッセンブリーにチューブセットを連結するためのラッチ機構に変更を加えた一例の下面図である。
【図２０Ｂ】本発明の実施例に従う図１９Ａおよび１９Ｂに示される接続ポートアッセンブリーにチューブセットを連結するためのラッチ機構に変更を加えた一例の下面図である。
【図２１Ａ】図２０Ａおよび図２０Ｂに示される接続ポートアッセンブリーにチューブセットを連結するためのラッチ機構に変更を加えた一例の断面図であり、本発明の他の実施例に従う接続ポートアッセンブリーのポストと第１および第２のフープキャップ保持部材との間の相互作用を示す。
【図２１Ｂ】図２０Ａおよび図２０Ｂに示される接続ポートアッセンブリーにチューブセットを連結するためのラッチ機構に変更を加えた一例の断面図であり、本発明の他の実施例に従う接続ポートアッセンブリーのポストと第１および第２のフープキャップ保持部材との間の相互作用を示す。
【図２２】本発明の第６実施例に従う注入セットの一例の接続ポートアッセンブリーにチューブセットを連結するためのラッチ機構の一例の上面図である。
【図２３Ａ】本発明の第７実施例に従う注入セットの一例の接続ポートアッセンブリーにチューブセットを連結するためのラッチ機構の一例の拡大断面図である。
【図２３Ｂ】本発明の第７実施例に従う注入セットの一例の接続ポートアッセンブリーにチューブセットを連結するためのラッチ機構の一例の拡大断面図である。
【図２４Ａ】本発明の第８実施例による接続ポートアッセンブリーにチューブセットを連結するためのラッチ機構の一例をロック状態で示す下部断面図である。
【図２４Ｂ】本発明の実施例に従う接続ポートアッセンブリーにチューブセットを連結するための図２４Ａに示されるラッチ機構をアンロック状態で示す下部断面図である。
【図２４Ｃ】本発明の実施例に従う接続ポートアッセンブリーにチューブセットを連結するための図２４Ａに示されるラッチ機構をロック状態で示す断面図である。
【図２４Ｄ】本発明の実施例に従う接続ポートアッセンブリーにチューブセットを連結するための図２４Ａに示されるラッチ機構をアンロック状態で示す断面図である。
【図２５Ａ】本発明の第９実施例による接続ポートアッセンブリーにチューブセットを連結するためのラッチ機構の一例の下面図である。
【図２５Ｂ】本発明の第９実施例による接続ポートアッセンブリーにチューブセットを連結するためのラッチ機構の一例の下面図である。
【図２６Ａ】本発明の実施例に従う図２５Ａおよび図２５Ｂに示される接続ポートアッセンブリーにチューブセットを連結するためのラッチ機構の代替的な実施例の下面図である。
【図２６Ｂ】本発明の実施例に従う図２５Ａおよび図２５Ｂに示される接続ポートアッセンブリーにチューブセットを連結するためのラッチ機構の代替的な実施例の下面図である。
【図２７】本発明の第１０実施例による注入セットの一例における接続ポートアッセンブリーにチューブセットを連結するためのラッチ機構の一例の側面図である。
【図２８】本発明の第１１実施例による注入セットの一例における接続ポートアッセンブリーにチューブセットを連結するためのラッチ機構の一例の側面図である。
【発明を実施するための形態】
【００３２】
本発明の幾つかの実施例は、添付図面を参照しながら詳細に説明される。複数の図面において、同一即ちほぼ同一の要素は、それらが異なる図面において表れていても、同一の参照数字により示される。
【００３３】
図２乃至図９を参照するに、本発明の第１実施例による一例としての注入セット１００
が、様々な図で示される。本発明の第１実施例による注入セット１００は、カテーテル２、自己密封式分離可能な接続装置、延長チューブ６およびポンプ４６とを含んでなる。
【００３４】
図２Ａ，２Ｂ，２Ｄ、４Ａ、４Ｂ，５Ａ，および、５Ｂに示されるように、自己密封式分離可能な接続装置は、アンダーカット１０を有するポスト８を有するベース４と、カテーテル２と、カテーテル２の基端を密封するためのセプタム１２と、を含む。図２Ａ、２Ｂ、２Ｄ，図３Ａ乃至図３Ｅ，図５Ａおよび図５Ｄに示されるように、キャップ１４は、円筒、即ち開口１６と、保持部材１８と、保持部材を解放する方法（不図示）と、ブラントカニューレ（ｂｌｕｎｔ  ｃａｎｎｕｌａ）およびブラントカニューレカバー２０と、ルアコネクタ（不図示）を有する延長チューブ６と、を含む。
【００３５】
図２Ａ，２Ｂ，および図２Ｃは、本発明の少なくとも第１および第２実施例に使用されるニードルハブアッセンブリー１５０を示す。ニードルハブアッセンブリー１５０は、ニードルグリップ５、および、挿入用針３を含む。代替的に、ニードルハブアッセンブリーは、要望通りの一つ以上の付加的な機能を実行させるように構成される１個以上の孔１３を有する中空針である（図９を参照、以下により詳細に説明される）一例の挿入用針７（図９参照）のような他の注射針を使用可能である。
【００３６】
ニードルハブアッセンブリー１５０は、カテーテル２が曲がることなく、即ち、潰さないように注入セット１００、２００のカテーテル２を使用者の身体に挿入するように使用され、注入セット１００、２００を介して使用者の薬剤を送出するための適正な深さで位置付けられる。カテーテル２を使用者の皮膚への挿入のために使用者は、ニードルグリップ５を握り、注入セット１００，２００のセプタム１２を介して注射針３，７を挿入する。ニードル３，７を有する補強されたカテーテル２は、それから、使用者の皮膚へ挿入可能とされる。それから、注入セット１００、２００は、注入セット１００、２００のベース４の下部に配される接着パッチにより使用者の皮膚に取付け可能とされる。
【００３７】
図３Ａ乃至図３Ｅは、本発明の実施例に従うキャップ１４、取付けられたチューブ６を含んでなるチュービングセットコネクタアッセンブリー１６０の一例、および、ラッチ機構の一例を示す。図３Ｂ乃至図３Ｅにおいて、ラッチ機構６００は、キャップ１４を注入セット１００のベース４に固定するための手段として示される。このラッチ機構６００は、図２０Ａおよび図２０Ｂを参照し以下により詳細に説明される。
【００３８】
図４Ａおよび図４Ｂは、接続ポートアッセンブリー１７０の断面図および等角投影図である。その接続ポートアッセンブリーは、ベース４およびポスト８を含む。ポスト８は、実質的に平坦なベース４から垂直に延在する実質的に円筒状部材を含み得るが、それに限定されなくてもよい。図４Ａに示されるように、そのポストおよびベースは、一体化されて形成され得る。ポスト８は、さらに、移動止め、肩、または、キャップに設けられる１個以上の部材（未だ図示されていない）により解放可能に捕捉可能である他の同様に機能するアンダーカット１０を設けるように構成され得る。さらに、ポストは、ポストの導入面３０を設けるように構成され得る。アンダーカット１０およびポスト導入面３０は、注入セット１００、２００における優れた位置合わせ、および／または、ラッチ構成を助長するように使用可能とされ、それぞれ、以下に詳細に説明される。
【００３９】
図５Ａおよび５Ｂを参照するに、一例としてのキャップ１４およびベース４は、取付けられ固定された状態で示される。キャップ１４の円筒、即ち、開口１６は、ベース４のポスト８に対し同心とされ、摺動可能に受け入れ、すべての他の相互作用要素が、互いに係合されるとき、同心とされることを確実にする。ポスト８および円筒１６双方は、大きいテーパ、ある輪郭をもち、傾斜した部分、または、他の同様に機能する導入部分３０，３２を有し、キャップ１４をベース４における適正な位置に案内することを助ける。図５Ｂは、約９０°回転された図５Ａの側面図を示す。
【００４０】
円筒、即ち、開口１６がポスト８に対し同心とされ、ポスト８を摺動可能に受け入れた後、ブラントカニューレ２０が下方のセプタム１２を貫通する。例示の複数のセプタム１２は、図６Ａ乃至図６Ｃにおいて、より詳細に示される。図６Ａを参照するに、例示のスリット３４は、下方のセプタム１２を横切りある距離だけ、下方のセプタム１２の上部から下部まで延在する。下方のセプタム１２は、実質的に円形となるように加工されるように設計され、スリット３４は、実質的に下方のセプタム１２の中央にある。これは、下方のセプタム１２の特定の位置がベース４において必要とされないので注入セット１００を製造することをより容易にする。図６Ｂは、ブラントカニューレ２０が挿入される前の下方のセプタム１２を示す。スリット３４は、上部から下部まで、または、逆に下部から上部まで実質的に貫通できないシールを作る。そして、注入セット１００が使用者の身体に設置され、キャップ１４が取り外され（例えば、入浴のため）、水、石鹸および他の異物がそのカニューレが皮膚に突き刺された皮膚の部分に入ることが実質的に防止される。上方のセプタム１２は、実質的に同一の方法で構成され得るものであるが、それに限定されない。
【００４１】
図６Ｃにおいて、ブラントカニューレ２０がスリット３４を介して下方のセプタム１２を突き刺した後のブラントカニューレ２０が、示されている。各セプタム１２は、変形可能な弾性物質で作られるので各セプタムは、ブラントカニューレ２０の回りで変形し、実質的に通さないシールをブラントカニューレ２０の回りに形成する。ブラントカニューレ２０を取り外すとき、スリット３４は、図６Ｂに示されるように、その元の形状に戻り、再び、皮膚と外部環境との間に実質的に通さないシールをもたらす。さらに、例示のセプタム１２は、その装置の位置合わせの以前に、容易に滅菌され、その後、感染の危険性をさらに低下させるようにブラントカニューレ２０の挿入または再挿入以前に消毒され得る。ブラントカニューレ２０が組み立て中、下方のセプタム１２を貫通する場合、液状の薬剤が、延長チューブ６およびブラントカニューレ２０を通じてルアコネクタからセプタム１２を通過しカテーテル２に流入可能である。
【００４２】
図５Ａを参照するに、キャップ１４内の保持部材１８は、以下により詳細に説明されるように、解放可能、および、回転可能にキャップをベースに固定するように構成され、バネで留められ得る。また、その保持部材は、テーパ、ある輪郭をもち、傾斜した部分、または、ポスト８の導入面３０に接触させるとともに、導入面３０から離れるまでそこから抜け出させる他の同様に機能する導入部２８をもたらすように構成され、図５Ａおよび図５Ｃに示されるように、導入部２８がポスト８のアンダーカット１０の下に飛び出すように構成され、それにより、キャップ１４およびベース４を一緒に固定する。
【００４３】
図７Ａは、各導入面３０、３２をそれぞれ有するポスト８、および、円筒即ち開口１６の拡大側面図を示す。図７Ｂは、導入面３０、２８をそれぞれ有するポスト８および保持部材１８の拡大側面図を示す。円筒の導入面を作るように形成される角度Θは、そのポストの導入面３０の勾配および角度Φに実質的に合致しているが、それに限定されるものではない。ポストの導入面３０の勾配および円筒の導入面３２の勾配を設けることにより、使用者がキャップ１４をポスト８に対し若干心ずれさせた場合でさえ、各導入面３０、３２が二つの部品（例えば、キャップ１４およびベース４）を整合させる。それから、ポスト８が、ポスト８が保持部材８に出会う円筒１６の内部空間に摺動可能とされる。よって、図７Ａは、最小限の使用者の力によるキャップおよびベースの位置合わせのための例示の手段を示す。
【００４４】
図７Ｂに示されるように、保持部材１８の導入面２８の傾斜は、使用者が容易くキャップ１４をベース４に掛けることができるように、ポスト８の導入面３０の傾斜に実質的に合致するが、それに限定されるものではない。キャップ１４がポスト８の上を覆って下がるとき、ばねで留められ、または別の方法で弾性的に付勢された保持部材１８は、初期位置から容易く離隔される（即ち、図７Ｂに示される例において左側に）のでそのロックが容易く達成される。ブラントカニューレ２０が下方のセプタム１２のスリット３４を突き刺すようにキャップ１４が十分に下降されたならば、保持部材１８は、ばねの弾性、および／または、他の弾性力により摺動し右に戻り、移動止め、肩、または他の同様に機能する突起部３８が、図５Ａに示されるように、ポスト８のアンダーカット１０に接触し捕捉する。勿論、また、保持部材１８およびポスト８は、ベース４からキャップ１４を取り外す場合、場合によっては、カニューレ２０を挿入する場合、または、カテーテル２を使用者に挿入する場合（即ち、入浴、または、運動のためにキャップ１４を取り外す）、上述の方法で相互作用する。よって、図７Ｂは、最小限の使用者の力により、キャップをベースに回転可能および取り外し可能に固定するための例示の手段を示す。
【００４５】
保持部材１８のラッチ機構により、使用者が、ばね力、または他の付勢力に抗して保持部材１８を移動させ、アンダーカット１０から離隔させ、それにより、キャップ１４がベース４から取り外し可能とされる。保持部材１８を解放する手段は、保持部材１８自体と一体可能とされる。保持部材１８における例示の解放手段は、図１９乃至図２８で以下により詳細に説明される。そのばね力は、実際のばね、および、保持部材１８により作られる。本発明のさらに他の実施例において、保持部材１８は、キャップ１４と一体に作られ得るものであり、および／または、ばね力は、キャップ１４および適切に加えられた力に応じてある部品を曲げさせる構造設計を作るために使用される物質の固有の曲げ特性から作られ得る。
【００４６】
図８Ａおよび図８Ｂは、本発明の第１実施例に従う注入セットのための第１変型例を示
す。図８Ａにおいて、ポスト８および保持部材１８の上面図が示され、ポスト８は、さら
に外周部に配される１個以上のポスト用リブ４０を含む。同様に、保持部材１８は、さら
に、突起３８に対し垂直な１個以上の保持部材用リブ３６を含み得る。ポスト用リブ４０
および保持部材用リブ３６は、それらが互いに容易く整合し、それにより、ベース４回り
のキャップ１４の回動を防止、即ち、実質的に低減させるように、輪郭および構成におい
て実質的に同一である（即ち、当たり合う構成において互いに係合するように構成される
）。従って、使用者は、ポスト用リブ４０、保持部材用リブ３６を相互接続するためにキ
ャップ１４が係合後、さらに回転しない、または、所望の位置で調整されたならば、少な
くとも非常に回転し難いことを知りながら、如何なる所望の位置で係合によりキャップ１
４をロックし、また、キャップ１４の回転のためにリブ３６，４０の非係合により、アン
ロックすることができる。図８Ｂは、図８Ａにおける８Ｂ−８Ｂ線に沿って示される拡大断面図である。如何にしてリブ３６、４０が保持部材１８およびポスト８に形成され、如何にしてそれらが互いに接合および位置合わせするかを示す。図８Ｂに示される例において、保持部材１８は、保持部材用解放手段（不図示）により、左に移動され係合から脱する。従って、キャップ１８は、新たな位置まで回転されるように自在となる。しかしながら、そのような回転可能な位置において、保持部材１８は、ベース４に完全に非係合とされないが、しかし、とにかく、ベース４のポスト８の複数のリブ４０に対し非係合とされない。従って、未だキャップをベースに固定し、使用者の皮膚と良好な密封をもたらす。
【００４７】
本発明の少なくとも第１実施例に従う注入セット１００は、従来の設計を超えた価値のある利点をもたらす。上述したように、注入セット１００は、キャップをベースに連結する場合、たとえあったとしても、キャップとベースとの間のかなり大まかな位置合わせを要することなく、如何なる回転調整を要しない。キャップ１４およびベース４は、互いに容易く心出しされ、キャップ１４は、その二つが一緒に取付けられたならば、延長チューブ６が如何なる所望の方向にも回転可能とされるように、ベース４の回りに自由に回転可能である。図８Ａおよび図８Ｂに示されるように、ポスト８におけるポスト用リブ４０および保持部材１８における保持部材用リブ３６により、使用者は、如何なる方向にもキャップ１４を解放可能に固定可能とされ、また、キャップおよびベースが互いにしっかりと取り付けらたままで、最初に配置された後、その位置を変更可能とされる。この構成により、そのキャップは、リブ３６、４０が係合される場合、自由に回転しないが、しかし、
それでもなお、リブ３６，４０が非係合とされる場合、如何なる方向にも回転可能とされ、取り付け可能とされる。例えば、本発明の実施例において、その装置（またはその複数の要素）は、位置合わせされ、固定可能とされる。それから、使用者による保持部材１８の解放のとき、使用者により所望の位置に回転可能とされ、その装置は、「ロック」されるだろう。使用者は、保持部材１８のボタン即ち部品をわずかに押し込み、キャップをロック位置から離れた新たな回転位置まで一時的に移動させ、それから、解放される場合、その装置は、ロック位置に戻されるだろう。そのような実施例において、その構成は、すべて使用者の要望の通り、その装置の部品による助けによって位置合わせし、位置決めし、固定し、解放し、位置を動かし、固定に戻させるようにもたらされる。
【００４８】
従って、本発明の第１実施例における注入セット１００は、使用者が如何なるボタンおよびレバーを操作する必要なく、身体に直交する真っ直ぐ下への動きにより、連結できる点で従来技術を越えた利点をさらにもらす。さらに、本発明の第１実施例による注入セット１００は、キャップ１４およびベース４が一緒に自動的に回転止め可能とされるポスト用リブ４０および保持部材用リブ３６をもたらす利点を有する。これは、いかなる横方向またはねじり力によりカテーテル２を取り外す可能性を実質的に排除し、使用者のための接続作業を実質的に簡素化する。従って、キャップ１４およびベース４は、図７Ａおよび図７Ｂに説明され示されるように、それぞれ、例示のポスト８の特徴、保持部材１８、対応する保持手段の導入部２８、３０、３２を使って、容易く心出しされ、組み立てられ、所望の位置まで回転可能とされる。さらに、ポスト８、キャップ１４、および保持手段１８の傾斜した導入部２８、３０、３２の設計のために、使用者は、実質的にキャップ１４およびベース４を心ずれさせることができ、依然として、最終的な連結のための二つの自動調心式として二つを容易に連結できる。さらに、キャップ１４およびベース４の固有の対称性のためにキャップ１４およびベース４の心出しをする場合、特定の方向は、必要とされない。
【００４９】
図１０Ａは、本発明の第２実施例に従う例示の注入セット２００の上面斜視図である。本発明の第２実施例に従う注入セット２００は、カテーテル２０、流路（即ち、セプタム２１２）を密封する手段、ブラントカニューレの案内部４８、延長チューブ６を介してポンプ４６のような流体送出装置に連結される上部流路キャップ４４を含むベース４２を備える。
【００５０】
図１０Ａおよび図１０Ｂに示されるように、注入セット２００の流体キャップ４４およびベース部４２の一端における回転連結手段５６と、注入セット２００の他端にラッチ連結手段５８とがある。回転連結手段５６は、流体キャップ４４の円柱５０と、ベース４２における第１および第２のベースフック６０Ａ、６０Ｂとを含む。図１２Ａおよび図１２Ｂは、より詳細に特徴を説明するためのベース４２の上面図、側面図である。第１のベースフック６０Ａおよび第２のベースフック６０Ｂは、流体キャップ４４の円柱５０に合致する半径を有するフックからなる。即ち、第１のベースフック６０Ａ、第２のベースフック６０Ｂは、円柱５０を回転可能に捕捉するように構成される半径を有するフックからなる。従って、複数のフックおよび円柱の材質は、わずかな磨耗で回転をもたらすための如何なる適正な材質から選択され得る。
【００５１】
流体キャップ４４は、キャップ４４がもはやベース４２を遮断しなくなり、ベース４２が露出されるまで上方の方向にベース４２に対して垂直な面で回転できる。ベース４２は、ラッチ連結手段５８によりベース４２を覆い、パチンと嵌められるまで、下方の方向に回転可能である。本発明の実施例において、ラッチ連結手段５８は、延在する１個以上の回転止めを有し上方に突出し弾性的に付勢されるベース４２のラッチ６２と、上方に向けて突出し弾性的に付勢されるラッチ６２を受け入れ、捕捉する連結孔５４と、を含んで構成され得る。
【００５２】
流体キャップ４４は、さらに側面からではなく、ベース４２を上下式で挿入しセプタム２１２に入るブラントカニューレ４８をさらに含む。挿入針３は、ブラントカニューレ４８を通じて挿入されて示され、流路が、回転連結手段５６により形成される回転可能な連結に向けて通るように作られる。流体キャップ４４が設置されたならば、その流路は、ブラントカニューレ４８およびカテーテル２０に連結される。
【００５３】
図１０Ａおよび図１０Ｂに示されるように、注入セット２００を外すためにラッチ６２は、注入セット２００に対し前方に押圧されて（即ち、矢印Ａの方向）、ラッチ６２が流体キャップ４４の連結孔５４を貫通可能とされ、それにより、ベース４２からラッチを解放する。それから、流体キャップ４４は、外れて回転可能とされ、ベース４２の上面を露出させる。
【００５４】
図１１Ａおよび図１１Ｂは、本発明の第２実施例に従って延長チューブ６を注入セット２００に連結するための代替的な手段を示す。図１１Ａおよび図１１Ｂにおいて、図１０Ａにおけるポンプ４６に連結可能とされる延長チューブ６は、流体キャップ４４の円柱５０に連結されるチューブ用接続部５２に接続される。この例示の実施例において、延長チューブ６は、水平方向に、注入セット２００から「後尾部」を形成する。本発明のさらに他の例示の実施例において、延長チューブ６は、図１３に示されるように、流体キャップ４４の中央上部に配されるチューブ接続部に接続可能とされる。この場合、延長チューブ６は、流体キャップ４４からほぼ垂直方向に延在する。使用者は、双方の流体キャップ４４が提供され得る。それにより、薬剤を投与するとき、および、その注入セットを所定位置に制御するとき、使用者に高められた柔軟性を提供する。
【００５５】
図１０Ａ、１０Ｂおよび図１４に示されるように、流体キャップ４４は、上面にある上方のセプタム２１２、下面から延在し、ブラントカニューレ４８を包囲する開口４３とを含み得る。ベース４２は、突起４７により包囲される上面に下方のセプタム２１２を備えてもよい。上部４４がベース４２に回転可能に組み立てられる場合、突起４７は、開口４３と同心とされ、摺動可能に開口４３に受け入れられる。さらに、キャップ４４のブラントカニューレ４８は、下方のセプタム２１２の上部からセプタム２１２を通じて導入され、その結果、ある従来技術の注入セットを超えた利点、特に、汚染に関して利点を付与する。本発明の第２実施例に従う注入セット２００は、汚染および感染の可能性を実質的に排除する。回転連結手段５６は、流体キャップ４４をベース４２に連結するための容易な手段をもたらし、ラッチ連結手段５８は、流体キャップ４４とベース４２とを固定するための容易な方法、および、流体キャップ４４をベース４２から解放する容易な方法をもたらす。
【００５６】
図１０Ａ、１０Ｂ、および、図１４は、カテーテル２を患者に挿入する二つの方法を示す。図１０Ａおよび図１０Ｂにおいて、注射針３は、流体キャップ４４に配される上方のセプタム２１２を通じて挿入される。注射針３は、下方のセプタム２１２を貫通するブラントカニューレ４８の中で上方のセプタム２１２を貫通し、最後にカテーテル２に挿入される。ニードルグリップ２０５は、注射針３を挿入する間、患者を助ける。注射針３がブラントカニューレ４８およびカテーテル２の中に挿入されたならば、それから、使用者は、液状の薬剤を投与する使用のために自分の身体にカテーテルを挿入することができる。
【００５７】
図１４は、カテーテル２を患者の身体に挿入する代替的な方法を示す。図１４において、キャップ４４は、示されていないが、しかし、その図は、そのベースから離隔したキャップ４４を回転させることにより、もたらされるベース４２の露出した上面を示す。図１４において、使用者は、注射針３を流体キャップ４４における上方のセプタム２１２の中に挿入していない。その代わりに、使用者は、ただ単に、注射針３をベース２の中の下方のセプタム２１２、カテーテル２の中に直接的に挿入している。それから、カテーテル２は、患者の身体に挿入可能とされ、ベース４２が皮膚に取付けられる。
【００５８】
本発明における例示の第１および第２実施例（例えば、注入セット１００、２００）は、例えば、患者に注入セットへの呼び水をさせるような要望通りにさらにまた改良された性能のために変更可能とされる。呼び水は、カテーテル２が患者の身体に挿入される以前に液状の薬剤が注入セット１００，２００に入れられる方法である。この目的は、ポンプ４６が所定の期間で適量の薬剤を患者に送出することを確実にすることである。カテーテル２が乾いた状態、即ち、液状の薬剤がもとからない状態で挿入されたならば、ポンプ４６が作動開始した時間と薬剤が身体に入る時間との間に時間のずれがある。その患者が単にポンプが作動した時に追従したならば、彼または彼女は、相当の投薬を受け得ることとなる。
【００５９】
注入セットに呼び水をするために変更された例示の注射針７は、図９に示されるように、使用可能とされる。変更された注射針７は、中空であり、注射針がブラントカニューレ２０の中に挿入されたならば、薬剤９が、孔１３を通じて注射針７に流れ込み、通ることができる場所に１個以上の孔１３を含む。図７および図８に示される注入セットにおいて、変更された注射針７における例示の孔１３は、上方のセプタム１２の真下にある変更された注射針７にある点である。これは、図９に示されるように、ニードルグリップ５にかなり近い。変更された注射針７は、中空であり、ニードルグリップ５に近い上部に例示の孔１３を含む。図９の矢印のように示される薬剤９は、注入セットに流れ込み、注射針用通路１１に流れ込む。また、薬剤９は、孔１３を通じて中空の変更された注射針７に流れ込み、結局、薬剤がその一端（ブラントカニューレ２０の下部にある）で出るまで注射針７を満たす。その注入セットは、呼び水され、患者は、自分の身体に投与される薬剤の量を正確に測定できる。
【００６０】
図１５は、本発明の第３実施例に従う注入セットのカテーテルと皮膚との挿入部位を目視するためのレンズ構成の一例における拡大断面図である。図１５における例示の窓構成は、この中で開示されるいずれか一つの注入セット、または、要望通りの他のいずれかの適切な注入セットに対し付加され得る本発明の第３実施例を示す。レンズ構成を示すために使用される例示の注入セット４００は、透明なフラットレンズ９４、および／または、透明な拡大用レンズ９６が固定可能な開口の任意の組み合わせの付加的な特徴と結合した注入セット１００、２００のいずれかのベース部品４、４２を含み得る。以下の説明において、限定する意味でなく、簡潔性だけのためにその説明は、注入セット１００の第１実施例だけを参照しながらなされるだろう。
【００６１】
注入セット１００のベース４は、カテーテル２が皮膚に入る挿入部位９５を使用者が見ることができる１個または２個のレンズ９４．９６を含み得る。好ましい実施例において、レンズ９４、９６は、透明プラスチックで作られている。しかしながら、当業者は、他の適当な物質が使用可能であることは分かる。本発明のさらに他の例示の実施例において、レンズが設けられることなく、その代わりに、開口は、使用者が目視できるカテーテル２が皮膚に入る挿入部位９５を目視できるベース４に設けられ得る。透明プラスチックレンズ９４，９６は、使用者がそれらを通じてはっきりと目視できるように設計され成形され得る。ベース４は、粘着テープ、または上述のように他の接着手段で挿入部位９５の回りに完全に密封され得る。これは、使用者が、炎症反応または感染の徴候を目視可能としながら、挿入部位９５の無菌を維持することを助ける。透明なフラットレンズ９４は、典型的には、ほとんど、あるいは全く拡大をもたらさない。透明の拡大用レンズ９６は、典型的には、上部、下部、あるいは、双方の表面で湾曲され、挿入部位は感染または炎症反応がない、または、感染または炎症反応がなくはないかを見分けるうえで、使用者を支援するようにいくらかの拡大率をもたらす。
【００６２】
上述の実施例１００，２００のいずれにおいても、または、この中で考察されていない他の注入セットにおいて、透明のプラスチックレンズ９４、９６の使用は、挿入部位９５をより清浄に、かつ、より無菌に保つ機会をもたらす。さらに、本発明の第３実施例により、使用者が挿入部位で感染の最初の徴候、カテーテル２における誤った挿入、抜き取り、または、挿入部位でその他の異常を検出可能とされる。これは、感染のために挿入部位を監視するためにベースを取り外す以外の如何なる手段ももたらさない従来の設計を超えた利点である。
【００６３】
図１６乃至図１８は、この中で開示された注入セットいずれか、またはすべて、ならびに、他の適切な注入セットに付加され得る本発明の第４実施例に従ういくつかの例示のセプタム保持用セットを示す。図１６は、本発明の第４実施例に従う例示のウェッジインセプタム（ｗｅｄｇｅ−ｉｎ−ｓｅｐｔｕｍ）の構成の第１の例を示す。図１６において分かるように、ウェッジ９８は、注入セット５００のセプタム３１２により内部に封入されている。ウェッジ９８は、１個以上の肩、回り止め、または、セプタム３１２の内部の対応した開口内に捕捉される他の特徴をもたらす。ウェッジ９８は、さらに、セプタム３１２を越えてわずかに下方に延在する垂直な部材を含む。その際に、ウェッジ９８の一つの機能は、所定位置に固定し、カテーテル２を位置決めすることである。図１６におけるセプタム３１２は、それから、注射針３（今のところ不図示）により繰り返された挿入にかかわらず所定位置に固定され、所定位置を維持する。例示の実施例において、ウェッジ９８は、金属、プラスチック、又は、他の適切な物質、または物質の組み合わせで構成可能とされる。
【００６４】
図１７における例示のセプタムウェッジ（ｓｅｐｔｕｍ−ｗｅｄｇｅ）構成は、セプタム密封用ウェッジ９９の内側に収容されるセプタム４１２を有するセプタム密封用ウェッジ９９を覆うカテーテル２を含む。図１７に示されるように、例示のセプタム密封用ウェッジ９９は、セプタム４１２を捕捉し受け入れ、密封するための拡大した上部と、カテーテル２内に嵌めるための細い下部とを含む。その際に、セプタム密封用ウェッジ９９は、セプタム密封用ウェッジ９９の上端１０１がセプタム４１２上に押し付けられ、注入セット１００、２００のベースアッセンブリー４、４２からセプタムが外れることを防止する。
【００６５】
他の例示のセプタムウェッジ構成が、図１８に示される。図１６において、セプタム固定用ウェッジ９８は、セプタム３１２の内側に固定されている。図１８において、セプタム固定用ウェッジ９８は、セプタム固定用ウェッジ９８の肩を受け入れるための凹部を含み得るセプタム５１２の下に固定されており、カテーテル２の上端、および／またはベース４にある。図１８に示される例示のセプタム保持用構成は、図１６に示されるようなウェッジインセプタム構成の第２の例である。図１８において、セプタム５１２も、ウェッジ９８を密封するが、しかし、図１６と同じように完全（上述したように）ではない。
【００６６】
本発明の第４実施例に従う第１、第２、および第３の例示のセプタムウェッジ構成において、セプタム３１２、４１２、５１２は、注射針３の数多くの挿入の後でもなお外れず、ある場所に実質的に固定したままである。本発明の第４実施例に従う第１、第２、第３の例示のセプタムウェッジ構成の利点は、副次的な部品は、製造中、所定位置にセプタムを保持するために必要がなく、従って、部品在庫および製造価格を低減する。
【００６７】
図１９Ａおよび図１９Ｂは、本発明の第５実施例に従う例示のキャップ保持手段５５０の下面図および上面図を示す。本発明の第５実施例は、キャップ１４内、またはキャップ１４における所定位置に設けられ、保持手段１０４によりベース４に固定される柔軟なキャップ部１０２を含む。図１９Ａおよび図１９Ｂに示されるように、柔軟なキャップ部１０２は、側面１０２Ａ、１０２Ｂ、１０２Ｃ、１０２Ｄを含む両面フレキシブルフープキャップ部１０２と呼称され得る。ベース４、およびすべてのその付随的な特徴を含む本発明の少なくとも第１実施例に従う注入セットにより使用可能とされる。上述したように、例示のキャップが固定される部分は、アンダーカット１０を有するポスト８、カテーテル２、および、カテーテル２の基端部を密封するためのセプタム１２を備えるベース４からなる。接続用セット（即ち、フレキシブルフープキャップ部１０２など）は、円筒即ち開口１６と、保持部材と、保持部材を解放する手段と、ブラントカニューレ、ブラントカニューレカバー２０、および、ルアコネクタ（今のところ不図示）を有する延長チューブ６とを含む。
【００６８】
図１９Ａおよび１９Ｂを参照するに、本発明の第５実施例に従うキャップ保持部材５５０の例示の操作が説明される。以下に詳細に説明される本発明の第５実施例乃至第１１実施例に従う注入セットの動作をより簡潔に説明するためにキャップ１４およびベース４（例えば、ブラントカニューレ、複数のセプタムなど）に関する上述の特徴および詳しい内容は、やはりあるが、しかし、図面から割愛することに留意されたい。
【００６９】
フレキシブルフープキャップ部１０２は、フレキシブルフープの両端が圧縮されるならば、圧縮力が加えられる側面に対し９０°（即ち、直交）なす二つの側面は、その圧縮力により離れるという動作原理に従い動作する。この例において、フレキシブルフープキャップ部１０２は、側面１０２Ａおよび１０２Ｂに加えられる例示の圧縮力を有し、その際に、側面１０２Ｃ、１０２Ｄは、離隔されるだろう。保持部材１０４は、フレキシブルフープキャップ部１０２の側面１０２Ｃ，１０２Ｄの内面に配される少なくとも突起１０４Ａ、１０４Ｂを含む。その複数の突起は、側面１０２Ｃおよび１０２Ｄの撓みによりポスト８を捕捉および解放するために使用可能な図１９Ａの部分的な輪郭形状などのいずれの適した形状を含み得る。さらに他の実施例において、１個だけの突起が、ポスト８を捕捉するように設けられ得る。さらに、そのセットにおける１個以上の部分は、フレキシブルフープキャップ部１０２の操作中、位置合わせの案内、および、移動制限の役も果たすように部分１０５を含み得る。
【００７０】
例示のフレキシブルフープキャップ部１０２は、円形、正方形、長方形、六角形、または他のいずれかの多角形であってもよい。一つの例示の実施例において、フレキシブルフープは、長方形または六角形である。この考察の目的のために長方形は、一例として使用されるだろう。しかしながら、斯かる例は、上述したように、如何なる多角形が使用可能であるので制限することを意図するものではない。
【００７１】
フレキシブルフープキャップ部１０２における例示の動作において、ポスト８（今のところ図示されていない）は、フレキシブルフープキャップ部１０２の中央に位置付けられている。保持部材１０４Ａ、１０４Ｂは、それぞれが各側面１０２Ｃ，１０２Ｄの略中央に取付けられるのでポスト８におけるアンダーカット１０とかみ合う。使用者が力の矢印Ａ，矢印Ｂに沿ってフレキシブルフープキャップ部１０２の短辺１０２Ａ，１０２Ｂに内向きの力を加えるとき、長辺１０２Ｃ，１０２Ｄは、力の矢印Ｃ，矢印Ｄの方向外側に弓なりに曲がり、保持部材１０４Ａ、１０４Ｂをポスト８から離隔させ、アンダーカット１０を解放する。
【００７２】
様々な変型および変更は、フレキシブルフープキャップ部１０２に対しなされ得る。例えば、長辺１０２Ｃ、１０２Ｄは、所望の方向に曲げるように付勢可能とされる。さらに、フレキシブルフープキャップ部１０２は、長辺１０２Ｃ、１０２Ｄの角、および／または、中央でその曲げを助長し、制御するように弱体化され得る。フレキシブルフープキャップ部１０２は、１個の部品または複数個の部品で製造可能である。フレキシブルフープキャップ部１０２が複数個の部品で製造された場合、柔軟性は、１個以上の別個の部品で
与えられ得る。複数の部品がつなぎ合わされる場合ヒンジが使用可能とされ、および／または、柔軟な接合物質（例えば、接着剤）が使用可能とされる。作動されない、または、付加的なばねが、フレキシブルフープキャップ部１０２の固有の保持力を助長するように付加され得る場合、ポスト８に係合される保持部材１０４Ａ、１０４Ｂを保持するようにその物質の固有のばね作用も、使用可能とされる。例えば、１個のばね、または、複数個のばねは、第１の長辺１０２Ｃから第２の長辺１０２Ｄまでフレキシブルフープキャップ部１０２を横切って伸びるように設けられ得る。さらに、フレキシブルフープキャップ部１０２の双方の短辺１０２Ａおよび１０２Ｂは、移動でき、または、一方の短辺がキャップ１４に固定され、従って、一方の短辺が移動可能とされる。さらにまた、フレキシブルフープキャップ部１０２は、完全な輪を形成する必要はないが、しかし、一方の辺（即ち、１０４Ａ）だけの特徴がキャップを固定するように使用可能とされるように片側だけで可能である。
【００７３】
図２０Ａおよび図２０Ｂは、図３Ａ乃至図３Ｅに関し簡潔に上述したように、図１９Ａおよび図１９Ｂに示される本発明の第５実施例に従うキャップ保持手段５５０の変型例を示す。図２０Ａおよび図２０Ｂは、キャップ１４内、即ち、キャップ１４の所定位置に設けられ得る他の例示のキャップ保持手段６００の下面図を示す。図２０Ａにおいて、キャップ１４内に示されるフレキシブルフープキャップ部２０２は、弛緩状態を示す。これは、ベース４への取り付け前、または、取付け後のキャップ保持手段の状態である。図２０Ｂにおいて、矢印Ａ、矢印Ｂにより表される互いに加えられた力が、側面２０２Ａ，２０２Ｂでフレキシブルフープキャップ部２０２に加えられる。曲げの上述した原理によれば、フレキシブルフープキャップ部２０２の長辺２０２Ｃ，２０２Ｄは、加えられた力により矢印Ｃ，矢印Ｄの方向に、外方に曲がる。フレキシブルフープキャップ部２０２における本発明のこの実施例において、側面２０２Ｃ、２０２Ｄは、外方に付勢されることに留意されたい。
【００７４】
また、第１フレキシブルフープキャップ保持部材２０４Ａおよび第２フレキシブルフープキャップ部２０４Ｂは、側面２０２Ｃ，２０２Ｄにより、外方に移動する。図２１Ａおよび図２１Ｂは、図２０Ａおよび図２０Ｂのベース４に嵌められたフレキシブルフープキャップ部２０２の簡略化された側面図を示す。第１フレキシブルフープキャップ保持部材２０４Ａおよび第２フレキシブルフープキャップ部２０４Ｂは、ポスト８のアンダーカット１０の下に嵌まる。それにより、ベース４上にフレキシブルフープキャップ部２０２を固定する。図２１Ｂは、フレキシブルフープキャップ部２０２の側面２０２Ａ、２０２Ｂ（図２０Ａおよび図２０Ｂ）が、矢印Ａ、矢印Ｂ（図２０Ａ、図２０Ｂ参照）の方向に内側に押し込まれた場合、第１フレキシブルフープキャップ保持部材２０４Ａおよび第２フレキシブルフープキャップ保持部材２０４Ｂとポスト８のアンダーカット１０との間の関係を示す。第１フレキシブルフープキャップ保持部材２０４Ａおよび第２フレキシブルフープキャップ保持部材２０４Ｂ、ポスト８における全方向構成のためにフレキシブルフープキャップ部２０２は、ほとんどいずれの方向でもベース４に固定可能とされる。図２１Ｂに示される本発明のさらなる実施例において、図２０Ａ、２０Ｂ、および図２１Ａにおける実施例についての変型がもたらされ、部品２０２の最上部がその中央部で押し下げ可能とされ、従って、部品２０４Ａ、２０４Ｂが外方に押される。その際に、図２１Ｂに示される取り外しの外形は、実質的に逆向きになり、それでも、ポスト８のアンダーカット１０の解放という結果となる。
【００７５】
また、フレキシブルフープキャップ部１０２，２０２は、側面の曲げを容易にするようにいくつかの切欠、脆弱部を有して作られ得る。図２０Ａ、２０Ｂにおいて、そのような例示の複数の部分は、脆弱部１０６Ａ〜１０６Ｆとして示され、所望する方向に側面１０２Ａ〜１０２Ｄ，２０２Ａ〜２０２Ｄの移動を容易にするように設けられ、位置決めされ得る。従って、キャップ保持手段５５０、６００をベース４に付ける場合、あるいは、キャップ保持手段５５０，６００をベース４から取り外す場合、使用者が、矢印Ａ、矢印Ｂに従ってより小さい力を加えることが必要とされる。
【００７６】
図２２は、本発明の第６実施例に従う他の例示のキャップ保持手段７００の上面図である。本発明の第６実施例に従うキャップ保持手段は、一端が開口したＵ字型フレキシブルフープキャップ部３０２と、キャップ１４内またはキャップ１４における所定位置に設けられ得る延長ウェッジ１１０とを含む。図２２に示されるように、Ｕ字型フレキシブルフープキャップ部３０２は、側面３０２Ａ，３０２Ｃ，３０２Ｄと、上述したように、実質的に内面に取付けられる保持部材３０４Ａ，３０４Ｂとを含む。キャップ部３０２における残りの側面は、左側に開口している。
【００７７】
動作において、側面３０２Ｃ、３０２Ｄは、矢印Ａの方向に使用者が加えた力が加えられ、延長ウェッジ１１０を矢印Ｂの方向にＵ字型フレキシブルフープキャップ部３０２の開口端１１２に導入することにより、矢印Ｃ，矢印Ｄの方向に離れるように撓まされる。
キャップ部３０２のそのような移動により、側面３０２Ｃ，３０２Ｄがウェッジ１１０の傾斜により外方に移動され、それにより、保持部材３０４Ａ，３０４Ｂからポスト８（今のところ不図示）を解放する。上述した他のキャップ保持手段のように、様々な変型および変更は、キャップ保持手段７００についてなされ得る。例えば、Ｕ字型フレキシブルフープキャップ部３０２は、延長ウェッジ１１０が固定位置および解放位置相互間で移動可能とされようにキャップ１４に固定可能とされ、または、延長ウェッジ１１０は、Ｕ字型フレキシブルフープキャップ部３０２が固定位置および解放位置相互間で移動可能となるようにキャップ１４に固定可能とされる。本発明のさらに他の例示の実施例において、延長ウェッジ１１０およびＵ字型フレキシブルフープキャップ部３０２双方が、移動可能とされる。さらに、延長ウェッジ１１０は、孔に係合することによる案内のためにＵ字型フレキシブルフープキャップ部におけるポストによって、または逆の配列を除き同様なものを使用してキャップ１４内に１個以上の傾斜した孔（不図示）を含み得る。
【００７８】
Ｕ字型フレキシブルフープキャップ部３０２は、一体型で作られるか、または、一緒に連結される複数の部品により作られ得る。延長ウェッジ１１０は、延長ウェッジ１１０を移動させるためのリビングヒンジ（ｌｉｖｉｎｇ  ｈｉｎｇｅ）（不図示）によりＵ字型フレキシブルフープキャップ部３０２の一部として備える。また、Ｕ字型フレキシブルフープキャップ部３０２は、撓ませる（フレキシブルフープキャップ部２０２の実施例に示されるように）ための脆弱部を有することも可能であり、および／または、他の所望の柔軟性をもたらすためのヒンジを有することも可能である。Ｕ字型フレキシブルフープキャップ部３０２およびＵ字型フレキシブルフープキャップ部３０２の側面３０２Ａ、３０２Ｃ、３０２Ｄの関連において、延長ウェッジ１１０は、それ自体でばね性があってもよく、または、外部スプリングを持っているものでもよい。例示の動作において、延長ウェッジ１１０は、開口１１２に押し込まれ、矢印Ａおよび矢印Ｂにより示される方向に加えられる力が作用することにより、側面３０２Ｃおよび３０２Ｄは、矢印Ｃ，矢印Ｄの方向に開かれる。
【００７９】
図２３Ａおよび図２３Ｂは、本発明の第７実施例に従う他の例示のキャップ保持手段８００の側面図を示す。図２３Ａに示されるように、キャップ保持手段８００は、円形の回り止め、肩を有する第１レバー１１８Ａ，第２レバー１１８Ｂを含むドーム状の柔軟なキャップ１１４と、または、ベース４におけるベース壁１１７のアンダーカット２１０に係合するためのドーム状の柔軟なキャップ１１４の下面に沿った他の同様に機能する保持手段１１６とを含む。例示の実施例において、ベース壁１１７は、実質的に円形であり、ベース４から上方に延在する。ベース壁１１７の上面は、回り止め、肩、または、キャップ１１４の保持手段を解放可能に捕捉するためのその他の同様に機能するアンダーカット手段２１０を有している。アンダーカット手段２１０の上面は、保持手段１１６の下面と互いに接触した場合、それぞれ、わずかに移動され互いに滑りあうようにある輪郭、即ち、丸められてもよい。
【００８０】
例示の操作において、キャップ１１４は、アンダーカット手段２１０が保持手段１１６により捕捉されるまでベース４に押し下げられ得る。それから、使用者が、力の矢印Ａ，矢印Ｂに沿って第１レバー１１８Ａおよび第２レバー１１８Ｂを押す場合、保持手段１１６は、ベース壁１１７のアンダーカット２１０から離隔するように矢印Ｃ，矢印Ｄの方向に移動し、使用者がドーム状のフレキシブルキャップ１１４を取り外すことが可能である。本発明の第７実施例に従うキャップ保持手段８００において、第１レバー１１８Ａおよび第２レバー１１８Ｂは、レバー１１８Ａ，１１８Ｂの接点とドーム状のフレキシブルキャップ１１４との間のドーム状のフレキシブルキャップ１１４の一部とともに、ピボッティングトーショナルスプリング（ｐｉｖｏｔｉｎｇ  ｔｏｒｓｉｏｎａｌ  ｓｐｒｉｎｇｓ）として働く。その際に、使用者が力の矢印Ａ，矢印Ｂに沿って第１レバー１１８Ａおよび第２レバー１１８Ｂを押す場合のように、押し下げる力により、ドーム状のフレキシブルキャップ１１４が図２３Ｂに示されるように、アンダーカット２１０から離隔するように移動する。また、第１レバー１１８Ａおよび第２レバー１１８Ｂは、キャップ１１４を握るための手段をもたらす。
【００８１】
図２４Ａ乃至図２４Ｄは、本発明の第８実施例に従う他の例示のキャップ保持手段９００におけるいくつかの上面図を示す。図２４Ａにおいて、キャップ保持手段９００は、リジッドフープ（ｒｉｇｉｄ  ｈｏｏｐ）１２０，スプリング１２２、第１リジッドフープ用伸長／保持部材１２４、第２リジッドフープ用伸長／保持部材１２８、および、案内部材１２６を含む。リジッドフープ１２０は、ポスト８を取り囲むようにある輪郭をもち、即ち、堅い輪からなり、少なくとも一つの誘導側面１２０Ａおよび少なくとも一つの使用者が接触可能な側面１２０Ｂからなる。使用者が接触可能な側面１２０Ｂは、使用者が図２４Ａ、２４Ｂの矢印Ｆの方向にリジッドフープ全体を押し込み可能となるように構成される。側面１２０Ｂから延在するリジッドフープ１２０における複数の部分が、ポスト８を囲むようにわずかに張り出しており、多くの案内部材１２６の相互間の通路により案内される。また、側面１２０Ｂは、側面１２０Ｂと第１リジッドフープ用伸長／保持部材１２４との間に捕捉されるスプリング１２２により、反対方向に付勢されている。ポスト８における向かい側において、リジッドフープ１２０は、少なくとも一つの肩、または、その他の同様に機能する第２リジッドフープ用伸長／保持部材１２８を設けるように狭められ、キャップ２１４のポスト８における切欠部、回り止め、または、肩を解放可能に捕捉する。誘導側面１２０Ａは、さらに伸長／保持部材１２８から延在し、多くの案内部材１２６相互間の通路により案内される。
【００８２】
そのような構成において、スプリング１２２が、リジッドフープ１２０を固定位置に付勢し、伸長／保持部材１２８に、図２４Ａに示されるように、キャップ２１４のポスト８における切欠部、回り止め、または肩を解放可能に捕捉させる。リジッドフープ１２０を内側に押すことにより、図２４Ｂに示されるように、伸長／保持部材１２８が、キャップ２１４のポスト８にける切欠部、回り止め、または、肩を解放する。
【００８３】
例えば、ベース４のポスト８上にキャップ２１４を配置するために、使用者がリジッドフープ１２０の第２側面１２０Ｂをスプリング１２２の力に抗して第１リジッドフープ用伸長／保持部材１２４に向けて押し、リジッドフープ１２０の第１側面１２０Ａを案内部材１２６の中を滑らせ、それから、ベース４上にキャップ２１４を下降させる。それから、使用者は、第２リジッドフープ用伸長／保持部材１２８が、ポスト８のアンダーカット１０の下に挟まれるようにリジッドフープ１２０の第２側面１２０Ｂを解放する。それから、キャップ２１４は、ポスト８およびベース４に固定される。図２４Ａは、キャップ保持手段９００におけるロック状態を示す。図２４Ｃは、図２４Ａに示されるようなキャップ保持手段９００の断面図である。図２４Ｄは、図２４Ｂに示されるようなキャップ保持手段９００の断面図である。
【００８４】
キャップ２１４を取り外すために使用者は、図２４Ｂに示される矢印Ｆの方向に力を加える。図２４Ｂは、キャップ保持手段９００のアンロック状態を示す。これが、第２リジッドフープ用伸長／保持部材１２８を押し、ポスト８のアンダーカット１０から離脱させ、それから、使用者がキャップ２１４を持ち上げる。キャップ保持手段９００に対する代替的な変型例において、スプリング１２２が、リジッドフープと別個の部品で作られ、または、リジッドフープと一体に作られてもよい。さらに、リジッドフープ１２０は、安定化のためにポスト８を接触させるための他のリブを有するように作られてもよく、リジッドフープ１２０は、連続した形状でも、あるいは、「Ｃ」字型または「Ｕ」字型のような一方が開口する形に作られてもよい。
【００８５】
図２５Ａは、本発明の第９実施例に従う他の例示のキャップ保持手段１０００をアンロ
ック状態で示す下面図である。図２５Ｂは、キャップ保持手段１０００をロック状態で示
す下面図である。図２５Ａにおいて、キャップ保持手段１０００は、第１のロック用レバ
ーアーム１３０Ａ、および第２のロック用レバーアーム１３０Ｂと、第１のピボット１３
２Ａおよび第２のピボット１３２Ｂとを含む。第１のロック用レバーアーム１３０Ａおよ
び第２のロック用レバーアーム１３０Ｂは、それぞれ、Ｌ字型からなり、スプリング２２
２により、一端で連結されている。第１のロック用レバーアーム１３０Ａ、および第２の
ロック用レバーアーム１３０Ｂと、第１のピボット１３２Ａおよび第２のピボット１３２
Ｂとは、ベース４のポスト８と接続して機能するキャップ３１４の下面に配される。即ち
、第１のロック用レバーアーム１３０Ａおよび第２のロック用レバーアーム１３０Ｂは、
それぞれ、回転可能にキャップ３１４に第１のピボット１３２Ａおよび第２のピボット１
３２Ｂで固定されている。向かい合う端部で、ポスト８を越えた先端で、第１のロック用
レバーアーム１３０Ａおよび第２のロック用レバーアーム１３０Ｂは、それぞれ、スプリ
ング２２２を使って互いに弾性的に固定されている。そのような構成において、スプリン
グ２２２は、第１のロック用レバーアーム１３０Ａおよび第２のロック用レバーアーム１
３０Ｂを一緒に固定位置に付勢し、各ロック用アーム１３０Ａ，１３０Ｂにおける少なく
とも一部分に、図２５Ｂに示されるように、キャップ３１４の切欠部、回り止め、または
肩を解放可能に捕捉させる。ロック用アーム１３０Ａ、１３０Ｂを矢印Ａの方向に押すこ
とにより、その複数のアームが、図２５Ａに示されるように、キャップ３１４の切欠部、
回り止め、または肩を解放する。
【００８６】
例えば、ベース４（ベース４は図示されていない、ポスト８だけ図示されている）のポスト８にキャップ３１４を保持するため使用者は、図２５Ａに示されるように、力の矢印Ａの方向に第１のロック用レバーアーム１３０Ａおよび第２のロック用レバーアーム１３０Ｂを押す。それから、第１のロック用レバーアーム１３０Ａおよび第２のロック用レバーアーム１３０Ｂは、矢印Ｂの方向に回転し、スプリング１２２が伸びる。結局、第１のロック用レバーアーム１３０Ａおよび第２のロック用レバーアーム１３０Ｂは、ポスト８がその間に嵌められ得るように十分離隔されている。これは、図２５Ａにおいて示されるアンロック状態である。キャップ３１４が所定位置ならば、使用者は、Ａで加えた力を緩め、第１のロック用レバーアーム１３０Ａおよび第２のロック用レバーアーム１３０Ｂは、ポスト８のアンダーカット１０下方の弛緩した位置に移動する（図２５Ｂに示されるように）。それにより、キャップ３１４をベース４に保持する。様々な変型例が、第１のロック用レバーアーム１３０Ａおよび第２のロック用レバーアーム１３０Ｂの形状および数量などに関し第１のロック用レバーアーム１３０Ａおよび第２のロック用レバーアーム１３０Ｂに対しなされ得る。例えば、さらに他の例示の実施例において、必要ならば、１個だけのロック用レバーアーム、または、２個よりも多くのロック用レバーアームがあってもよい。
【００８７】
図２６Ａおよび図２６Ｂは、チュービングセットを図２５Ａおよび図２５Ｂに示されるポスト連結用アッセンブリーに連結するためのラッチ機構の代替的な実施例の下面図である。図２５Ａおよび図２５Ｂと同様に、図２６Ａおよび図２６Ｂは、理解し易いように、ベース４（ポスト８が取付けられる）を含むことなく、キャップ３１４の下部、およびポスト８を示す。図２６Ａおよび図２６Ｂの例示の実施例は、スプリング３２２が、ポスト８の逆方向側に配置し直され、複数のアームを、それぞれの直角をなす部分、またはその部分近傍で弾性的に接続することを除き、図２５Ａおよび図２５Ｂに関して実質的に上述されている。しかしながら、各実施例において、そのスプリングは、連結箇所相互間に拡張力、または、収縮力かを作用させるように構成され得る。従って、その際に、スプリング３２２は、複数のアームの連結箇所を離隔させ、固定位置に付勢する。
【００８８】
例えば、キャップ保持手段１０５０は、図２６Ｂにおいて弛緩状態で示される。スプリング３２２は、アーム１３０Ａ、１３０Ｂの一部がポスト８のアンダーカット１０の下に掛るように第１のピボット１３２Ａ、第２のピボット１３２Ｂの回りで第１のロック用アーム１３０Ａ，第２のロック用アーム１３０Ｂを押す。ベース４からキャップ３１４を取り外すために図２６Ａに示されるように、矢印Ａの方向に加えられる力により、第１のロック用アーム１３０Ａ，第２のロック用アーム１３０Ｂが矢印Ｂの方向に揺れ動き、ポスト８のアンダーカット１０から離脱する。それから、キャップ３１４は、取り外されるように自在となり、即ち、ベース４から引き離される。
【００８９】
図２７は、本発明の第１０実施例に従う他の例示のキャップ保持手段１１００の断面図を示す。キャップ保持手段１１００は、キャップ４１４、スプリング４２２、ばね偏倚された保持部材１３６、および、逆方向に向き合うリップ１３８とを含む。本発明のこの実施例における注入セットは、アンダーカットを有するポスト８を含んでいない。その代わりに、キャップ保持壁１３４が、カテーテル２が使用者の身体に入る部位の回りに円形（または他の形状）に取り付けられ、そのスプリング保持部材１３６は、嵌り、キャップ４１４をベース４に固定する。
【００９０】
キャップ保持壁１３４は、スプリング保持手段１３６およびリップ１３８と相互作用するアンダーカット３１０を含み得る。例示の実施例において、キャップ保持壁１３４は、実質的に円形であり、ベース４から上方に延在している。保持壁１３４の上面は、回り止め、肩、または他の同様に機能するアンダーカット手段３１０を有し、ばね偏倚された保持部材１３６、キャップ４１４のリップ１３８を解放可能に捕捉する。アンダーカット手段３１０の最上面は、ばね偏倚された保持部材１３６の下面およびリップ１３８のように、互いに接触した場合、それぞれがわずかに移動し互いに滑りあうように、傾斜したまたは丸い、ある輪郭を有している。
【００９１】
図２７で分かるように、使用者が、下方に延在するリップ１３８を有するキャップ４１４をキャップ保持壁１３４に対し配置し、キャップ４１４に取付けられたリップ１３８が、それぞれ相互間の１個以上の傾斜面を介しかみ合い、それにより、キャップ保持壁１３４のアンダーカット３１０と係合する。それから、使用者がスプリング保持手段１３６を矢印Ｆの方向に加えられた力で押圧し、この場合、スプリング保持手段１３６が右に移動する。使用者が、キャップ４１４をキャップ保持壁１３４に十分に下降させ、スプリング保持手段１３６を解放し、スプリング保持手段がキャップ４１４のアンダーカット３１０下方の所定位置に固定する。その際に、キャップ４１４は、ベース４における如何なる位置にも配置可能とされ、キャップ保持手段１１００は、キャップ４１４およびキャップ保持壁１３４が円形であると想定した場合、如何なる特有な方向にも制限されない。他の形状も使用可能とされ、その指向性は、使用時、固有の形状に依存するだろう。
【００９２】
図２８は、本発明の第１１実施例に従う他の例示のキャップ保持手段１２００の側面図を示す。キャップ保持手段１２００は、キャップ５１４、スプリング５２２、リップ１３８を含む。本発明のこの実施例における注入セットは、アンダーカット１０を有するポスト８を含んでいない。その代わりに、図２７に示される例示の実施例のように、キャップ保持壁１３４がカテーテル２が使用者の身体に入る部位の回りに円形（または他の形状）に取り付けられ、そのリップ１３８は、嵌り、キャップ５１４をベース４に固定する。
【００９３】
上述したように、キャップ保持壁１３４は、ばね偏倚された保持レバー１４０と相互作用するアンダーカット３１０を含み得る。例示の実施例において、キャップ保持壁１３４は、実質的に円形であり、ベース４から上方に延在している。保持壁１３４の上面は、回り止め、肩、または他の同様に機能するアンダーカット手段３１０を有し、ばね偏倚されたレバー１４０、キャップ５１４のリップ１３８を解放可能に捕捉する。アンダーカット手段３１０の最上面は、ばね偏倚された保持レバー１４０の下面およびリップ１３８のように、互いに接触した場合、それぞれがわずかに移動し互いに滑りあうように、傾斜したまたは丸い、ある輪郭を有している。
【００９４】
図２８で分かるように、使用者が、キャップ５１４をキャップ保持壁１３４に対し配置
し、キャップ５１４に取付けられたリップ１３８が、キャップ保持壁１３４のアンダーカ
ット３１０にかみ合う。それから、使用者がスプリング保持レバー１４０を矢印Ｆの方向
に加えられた力で押圧し、この場合、スプリング保持レバー１４０がスプリング５２２の
弾性収縮力に抗して左に移動する。この例示の実施例において、レバーが、回転すること
なく（以下の本発明の他の実施例に関して述べられる）、前後に移動する。使用者が、キ
ャップ５１４をキャップ保持壁１３４に十分に下降させ、ばね偏倚された保持レバー１４
０を解放し、レバーがキャップ保持壁１３４のアンダーカット３１０下方の所定位置に固定する。スプリング保持レバー１４０は、キャップ保持壁１３４のいずれの方向にもアンダーカット３１０に固定可能であり、キャップ保持手段１２００は、キャップ５１４およびキャップ保持壁１３４が円形であると想定した場合、如何なる特有な方向にも制限されない。他の形状も使用可能とされ、その指向性は、使用時、固有の形状に依存するだろう。
【００９５】
ばね偏倚された保持レバー１４０は、さらにレバー１４０が回転可能とされるピボット１３９を備えるものであってもよい。従って、この例示の実施例において、使用者は、キャップ５１４をベース４に対し解放または取付けるために矢印Ｆ´の方向に力を加えることを必要とされる。スプリング保持レバー１４０は、スプリング５２２の力により抵抗されるのでピボット１３９の回りに旋回し、上部が右に移動し、下部が左に移動する。
【００９６】
本発明は、例示の実施例を参照しながら説明された。しかしながら、上述した例示の実施例の形態以外の他の形式で本発明を具体化することも可能であることは当業者にとってただちに明らかであろう。これは、添付した請求の範囲により定義されているように、本発明の精神および均等物から逸脱することなくなされてもよい。例示の実施例は、例示にすぎず、決して限定的に考慮されるべきではない。
【図１】
0005694920.tif 000002
【図２Ａ】
0005694920.tif 000003
【図２Ｂ】
0005694920.tif 000004
【図２Ｃ】
0005694920.tif 000005
【図２Ｄ】
0005694920.tif 000006
【図２Ｅ】
0005694920.tif 000007
【図３Ａ】
0005694920.tif 000008
【図３Ｂ】
0005694920.tif 000009
【図３Ｃ】
0005694920.tif 000010
【図３Ｄ】
0005694920.tif 000011
【図３Ｅ】
0005694920.tif 000012
【図４Ａ】
0005694920.tif 000013
【図４Ｂ】
0005694920.tif 000014
【図５Ａ】
0005694920.tif 000015
【図５Ｂ】
0005694920.tif 000016
【図５Ｃ】
0005694920.tif 000017
【図６Ａ】
0005694920.tif 000018
【図６Ｂ】
0005694920.tif 000019
【図６Ｃ】
0005694920.tif 000020
【図７Ａ】
0005694920.tif 000021
【図７Ｂ】
0005694920.tif 000022
【図８Ａ】
0005694920.tif 000023
【図８Ｂ】
0005694920.tif 000024
【図９】
0005694920.tif 000025
【図１０Ａ】
0005694920.tif 000026
【図１０Ｂ】
0005694920.tif 000027
【図１１Ａ】
0005694920.tif 000028
【図１１Ｂ】
0005694920.tif 000029
【図１２Ａ】
0005694920.tif 000030
【図１２Ｂ】
0005694920.tif 000031
【図１３】
0005694920.tif 000032
【図１４】
0005694920.tif 000033
【図１５】
0005694920.tif 000034
【図１６】
0005694920.tif 000035
【図１７】
0005694920.tif 000036
【図１８】
0005694920.tif 000037
【図１９Ａ】
0005694920.tif 000038
【図１９Ｂ】
0005694920.tif 000039
【図２０Ａ】
0005694920.tif 000040
【図２０Ｂ】
0005694920.tif 000041
【図２１Ａ】
0005694920.tif 000042
【図２１Ｂ】
0005694920.tif 000043
【図２２】
0005694920.tif 000044
【図２３Ａ】
0005694920.tif 000045
【図２３Ｂ】
0005694920.tif 000046
【図２４Ａ】
0005694920.tif 000047
【図２４Ｂ】
0005694920.tif 000048
【図２４Ｃ】
0005694920.tif 000049
【図２４Ｄ】
0005694920.tif 000050
【図２５Ａ】
0005694920.tif 000051
【図２５Ｂ】
0005694920.tif 000052
【図２６Ａ】
0005694920.tif 000053
【図２６Ｂ】
0005694920.tif 000054
【図２７】
0005694920.tif 000055
【図２８】
0005694920.tif 000056